(57)【要約】【課題】遊技機のスタートスイッチにワイヤを引っ掛け、これをソレノイドコイルなどで一定の時間間隔で下へ引っ張ることでスタートスイッチのオンのタイミングを調整する、いわゆるソレノイドゴトを防止する。【解決手段】遊技機のスタートスイッチのレバーの上面と下面に第１センサ134e-Uと第２センサ134e-Dを設ける。これらのセンサは、レバーに掛けられたワイヤを検知する。前記第１センサが検知したとき規制機構３０ｂを下へ動かしてレバーの下側への移動を規制し、前記第２センサが検知したとき規制機構３０ｂを上へ動かしてレバーの上側への移動を規制する。ワイヤを引っ張ってもスタートスイッチはオンにならない。【選択図】        図４
2009100853.tif 000002
【特許請求の範囲】
【請求項１】
複数の回転リールを含むリールユニットと、
予め定められた支点で支えられ、遊技者の操作を受けて予め定められた基準位置から前記基準位置と離隔している揺動位置へ移動するレバー及び前記レバーが前記基準位置にあるかどうかを検出するセンサを含み、前記複数の回転リールを回転させるためのスタートスイッチと、を備え、
前記スタートスイッチの前記センサからの信号に基づき抽選を行い、当該抽選結果に基づき当選判定を行う遊技機において、
前記レバーの周囲に設けられ、前記レバーに掛けられたワイヤを検知するワイヤ検知センサと、
前記レバーが前記基準位置から移動することを規制する規制機構と、
前記ワイヤ検知センサの出力に基づき前記規制機構を制御する制御部と、を備える遊技機。
【請求項２】
前記ワイヤ検知センサとして、
前記レバーの上面に設けられ、前記レバーに掛けられたワイヤを検知する第１センサと、
前記レバーの下面に設けられ、前記レバーに掛けられたワイヤを検知する第２センサと、を含み、
前記制御部は、前記第１センサ又は前記第２センサの少なくとも一方の出力に基づき前記規制機構を制御し、
前記第１センサが検知したとき前記規制機構を作動させて前記レバーの下側への移動を規制し、前記第２センサが検知したとき前記規制機構を作動させて前記レバーの上側への移動を規制する、ことを特徴とする遊技機。
【請求項３】
前記規制機構は、開口が設けられた部材を有し、
前記開口の中に前記レバーが位置し、
前記制御部は、前記第１センサが検知したとき前記規制機構の前記開口の端を、遊技者が操作する側から見て前記支点よりも奥側の前記レバーの上面に接するように移動させ、前記第２センサが検知したとき前記規制機構の前記開口の端を、遊技者が操作する側から見て前記支点よりも奥側の前記レバーの下面に接するように移動させることを特徴とする請求項２記載の遊技機。
【請求項４】
前記規制機構は、開口が設けられた板状又は筒状の部材で、前記開口を通る回転軸を中心に回転するものであり、
前記開口の中に前記レバーが位置し、
前記開口は、回転に従い前記レバーから前記開口の端までの距離が変化するように形成され、
前記制御部は、前記第１センサが検知したとき前記レバーの上面から前記開口の端までの距離が小さくなるように前記規制部材を回転させ、前記第２センサが検知したとき前記レバーの下面から前記開口の端までの距離が小さくなるように前記規制部材を回転させることを特徴とする請求項２記載の遊技機。
【請求項５】
前記規制機構は、前記レバーの上側に設けられて棒状の第１規制部材を進退させる第１駆動部と、前記レバーの下側に設けられて棒状の第２規制部材を進退させる第２駆動部とを含み、
前記制御部は、前記第１センサが検知したとき前記第１駆動部を制御して、遊技者が操作する側から見て前記支点よりも奥側の前記レバーの上面に接するように前記第１規制部材を進出させ、前記第２センサが検知したとき前記第２駆動部を制御して、遊技者が操作する側から見て前記支点よりも奥側の前記レバーの下面に接するように前記第２規制部材を進出させることを特徴とする請求項２記載の遊技機。
【請求項６】
前記レバーの上面又は下面の少なくとも一方には、前記ワイヤ検知センサに向けられて傾斜した傾斜部が設けられたことを特徴とする請求項１乃至請求項５いずれかに記載の遊技機。
【請求項７】
前記レバーの前記傾斜部の下端に連続して溝が設けられ、当該溝に前記ワイヤ検知センサが設けられていることを特徴とする請求項６記載の遊技機。
【発明の詳細な説明】
【技術分野】
【０００１】
この発明は、スロットマシン等の遊技機に関する。特に、スタートスイッチの押下に係る不正行為を防止するための技術に関する。
【背景技術】
【０００２】
スロットマシン等の遊技機（以下、単に「遊技機」と記す）にはメダルの投入口が設けられており、遊技者は所定の枚数のメダルを投入してゲームを楽しむことができる。遊技に必要なメダルは、遊技ホール内に設けられたメダル貸機等で借りることができ、所望の遊技機のメダル投入口に投入することによりゲームを開始することができる。
【０００３】
遊技機には、遊技を行うためのスタートスイッチが設けられている。その構造の概略について図１８を参照して説明を加える。
【０００４】
図１８（ａ）はスタートスイッチ１３４を遊技機の上から見た図、図１８（ｂ）及び図１８（ｃ）はスタートスイッチ１３４の図１８（ａ）のＡ−Ａ線矢視断面図であり、同（ｂ）は非操作時（オフ時）を示し、同（ｃ）は操作時（オン時）を示す。スタートスイッチ１３４は、後述の支点１３４ｄを中心に上下に動くように支えられている。ここで、「上」とは遊技機の上端の方向を意味し、「下」とは遊技機の下端の方向を意味する。「上」「下」は、スタートスイッチ１３４から見て、それぞれ通常の意味の高い位置、低い位置のことである。支点１３４ｄを中心にレバー１３４ｂの両端はそれぞれ上下反対方向に動くが、特に断らない限り、ノブ１３４ａが「上」（あるいは「下」）に動いたとき、スタートスイッチ１３４又はレバー１３４ｂが「上」（あるいは「下」）に動いたものとする。
【０００５】
なお、これらの図において、１３０は遊技機の扉を示す。
【０００６】
スタートスイッチ１３４は、遊技者が直接触れる例えば球状のノブ１３４ａと、ノブ１３４ａが操作されたときに可動する作用部であるレバー（例えば棒状の部材からなる）１３４ｂと、レバー１３４ｂの動きを検知したとき信号を出力するセンサ１３４ｃと、レバー１３４ｂをその途中（例えば、前扉１３０の個所）で支える支点１３４ｄとを備える。センサ１３４ｃは例えば光学式のセンサであるフォトインタラプタである。フォトインタラプタとは、検出溝を備えるケースの中に発光部１３４ｃ−ＬＥＤと受光部１３４ｃ−ＰＤを対向配置し、検出溝間の通過物体を非接触で検知するものである。
【０００７】
スタートスイッチ１３４の非操作時（オフ時）は、図１８（ｂ）に示すように、そのレバー１３４ｂの端（ノブ１３４ａとは反対側の端で、前扉１３０の内部に位置している）が発光部１３４ｃ−ＬＥＤと受光部１３４ｃ−ＰＤの間に割り込み、光を遮蔽している。
【０００８】
スタートスイッチ１３４の操作時（オン時）は、図１８（ｃ）に示すように、ノブ１３４ａが押されて下がる。スタートスイッチ１３４は、そのほぼ中間に設けられた支点１３４ｄを中心に回転し、レバー１３４ｂの端（ノブ１３４ａとは反対側の端）が上がり、発光部１３４ｃ−ＬＥＤと受光部１３４ｃ−ＰＤの間の光の経路から外れ、その結果、受光部１３４ｃ−ＰＤが発光部１３４ｃ−ＬＥＤの光を受け、信号を出力する。このとき、スタートスイッチ１３４が操作された（オンになった）と判定される。
【０００９】
図１８（ｂ）はスタートスイッチ１３４のオフ状態を示すが、以下の説明において、そのときのレバー１３４ｂの位置を「基準位置」と記すことがある。また、図１８（ｃ）はスタートスイッチ１３４のオン状態を示すが、同様に、「揺動位置」と記すことがある。なお、スタートスイッチ１３４は、図１８（ｃ）とは反対に上に動くこともできるが、上下いずれの場合も「揺動位置」に含めるものとする。
【００１０】
従来の遊技機の動作は次のようなものであった。
先ず、スタートスイッチ１３４が操作されることにより、スタートスイッチ１３４がオンとなる。これを受けて遊技機内部の当選抽選手段により抽選処理が行われる。ここで所定の役に当選すると当選フラグがセットされる。回転リールの回転が開始する。ストップスイッチが操作されることにより、ストップスイッチがＯＮとなる。そして、対応する回転リールの回転が停止する。全部の回転リールに対応するストップスイッチの操作が行われた後、当選フラグ成立中に当該当選フラグに対応する入賞図柄が有効入賞ライン上に揃ったか否か、すなわち、入賞が確定したか否かが判定される。入賞が確定したと判定された場合、入賞図柄に相当するメダルが払い出される。
【００１１】
抽選処理の評価が例えば外れの場合は所定の図柄が揃わないように設定され（いわゆる蹴飛ばし）、当たりの場合はストップスイッチが所定のタイミングで押下されることなどを条件に所定の図柄が揃うように設定される（いわゆる引き込み）。つまり、抽選処理において当選しているときのみ所定の条件の下で図柄が揃い入賞することにより、メダルが払い出されるが、当選しないときはストップスイッチをどのように操作してもメダルが払い出されることはない。これはメダルの払い出しを一定確率に保つためである。これを実現するため抽選処理において乱数発生器が用いられている。
【００１２】
遊技機の乱数発生器は例えばカウンタを用いて乱数を擬似的に発生させるものであった。この場合に発生する乱数はある程度の規則性をもち、そのため予測可能な面があった。何らかの装置を用いて遊技者がスタートスイッチを巧みに操作することにより抽選確率を予め定められた値以上に高める可能性を否定できなかった。例えば、低周波治療器（以下「体感器」と記す）を腕に取り付けて腕の筋肉に定期的な刺激を与えることでスタートスイッチを操作するタイミングを調整し、同じような乱数値を繰り返し取得することが考えられた。
【００１３】
また、図１９に示すように、スタートスイッチ１３４にワイヤＷを引っ掛け、これをソレノイドコイルなどの不正行為用装置Ｘにより一定の時間間隔で下へ引っ張ることでスタートスイッチ１３４のオンのタイミングを調整するやり方（いわゆる「ソレノイドゴト」）が知られている。不正行為用装置を用いれば、スタートスイッチの押下間隔を非常に正確に（例えば数ｍＳ程度の精度で）調整することができる。これを用いて、当たり乱数を連続して取得する不正行為（乱数幅が大きく比較的当て易い役、例えばベルを取り続けメダルを増やしたり、ストック機で言えば解除抽選を行う特定役を連続して当選させ、ボーナスを放出させる行為）を行い利益を得るといった不正行為が横行している。
【００１４】
乱数発生器（カウンタ）の繰り返し周期は一定（Ｔ）であるから、スタートスイッチ１３４の押し下げ周期ＴＳをＴの整数倍にすれば、同じ乱数値を取得することが原理的に可能である。体感器による刺激の周期又は不正行為用装置Ｘの動作をそのように調整することで不正行為を行っているようである。何らかの装置の助けを借りてスタートスイッチ１３４を操作することは禁止されているが、その摘発は容易ではない。遊技機側で対策を施すことが求められている。
【００１５】
抽選の際に取得させる乱数値の予測を困難にするための技術として以下に示すものがあった。
【００１６】
【特許文献１】特開２００５−６６３０６号公報「遊技機及び遊技機の入賞判定方法並びにプログラム」  いわゆる体感器を用いて、遊技機のスタートスイッチを一定タイミングで操作したとしても有利にならないように、抽選に係る乱数の更新周期を予測困難に変化させることを目的とする。回転リールと、前記回転リールの回転を停止させるためのストップスイッチと、前記回転リールを駆動するリール駆動部と、前記回転リールの回転位置を検出するリール位置検出部とを備える遊技機において、乱数発生器に対して所定の契機で乱数の更新の停止又は再開を指示する乱数更新停止信号発生部とを備える。例えば、前記ストップスイッチからの信号に基づき乱数更新を停止させ、前記リール駆動部又は前記リール位置検出部からの前記回転リールの停止信号に基づき乱数更新を再開させる。
【００１７】
【特許文献２】特開２００５−１８５５２５号公報「遊技機及び信号遅延装置」  いわゆる体感器を用いて、入賞内容を引き当てるタイミングに合わせて一定間隔でスタートスイッチを押下する不正行為に対して防衛可能とする。スタートスイッチの操作により送られてきたスタート信号を、スタート信号遅延回路で不定の時間だけ遅延させる。
【００１８】
【特許文献３】特開２００５−３４８８０９号公報「遊技機」  特定の乱数の狙い撃ちを困難とし、不正行為を未然に回避する。回胴リールの基準回転位置を示すイニシャルがセンサを通過したタイミングで乱数の取得を行う。また、複数ある回胴リールのうち、センサの信号を取り込む回胴リールを毎ゲーム変更する、あるいは、それぞれの回転起動時間をランダムに、もしくは、あらかじめ時間テーブルに設定された数値に基づき選択する、更には、イニシャルを検知するセンサの取り付け位置を遊技機毎、変更する。
【発明の開示】
【発明が解決しようとする課題】
【００１９】
上記特許文献記載の不正行為対策は、乱数の発生又は抽出タイミングを不規則にすることで、いわゆるソレノイドゴトを行っても所望の乱数を取得できないようにするものであり、遊技機の抽選に用いられる乱数を、いわば、ランダムな本来の乱数に近づけようとするものであった。上記不正行為対策によれば、いわゆるソレノイドゴトを不成功に終わらせることができるものの、当該不正行為が露見することがなく、それを試みることを抑止することができなかった。ソレノイドゴトの実行を躊躇させるためには、ソレノイドゴトに用いられるワイヤを直接検知し、遊技の実行を不可能にすることが望ましい。
【００２０】
この発明は、上記課題を解決するためになされたもので、いわゆるソレノイドゴトに用いられるワイヤを直接検知したときに不正行為者の遊技を不能にすることのできる遊技機を提供することを目的とする。
【課題を解決するための手段】
【００２１】
この発明は、
複数の回転リールを含むリールユニットと、
予め定められた支点で支えられ、遊技者の操作を受けて予め定められた基準位置から前記基準位置と離隔している揺動位置へ移動するレバー及び前記レバーが前記基準位置にあるかどうかを検出するセンサを含み、前記複数の回転リールを回転させるためのスタートスイッチと、を備え、
前記スタートスイッチの前記センサからの信号に基づき抽選を行い、当該抽選結果に基づき当選判定を行う遊技機において、
前記レバーの周囲に設けられ、前記レバーに掛けられたワイヤを検知するワイヤ検知センサと、
前記レバーが前記基準位置から移動することを規制する規制機構と、
前記ワイヤ検知センサの出力に基づき前記規制機構を制御する制御部と、を備えるものである。
【００２２】
前記ワイヤ検知センサとして、
前記レバーの上面に設けられ、前記レバーに掛けられたワイヤを検知する第１センサと、
前記レバーの下面に設けられ、前記レバーに掛けられたワイヤを検知する第２センサと、を含み、
前記制御部は、前記第１センサ又は前記第２センサの少なくとも一方の出力に基づき前記規制機構を制御し、
前記第１センサが検知したとき前記規制機構を作動させて前記レバーの下側への移動を規制し、前記第２センサが検知したとき前記規制機構を作動させて前記レバーの上側への移動を規制する、ようにしてもよい。
【００２３】
前記規制機構は、開口が設けられた部材を有し、
前記開口の中に前記レバーが位置し、
前記制御部は、前記第１センサが検知したとき前記規制機構の前記開口の端を、遊技者が操作する側から見て前記支点よりも奥側の前記レバーの上面に接するように移動させ、前記第２センサが検知したとき前記規制機構の前記開口の端を、遊技者が操作する側から見て前記支点よりも奥側の前記レバーの下面に接するように移動させるようにしてもよい。
【００２４】
前記規制機構は、開口が設けられた板状又は筒状の部材で、前記開口を通る回転軸を中心に回転するものであり、
前記開口の中に前記レバーが位置し、
前記開口は、回転に従い前記レバーから前記開口の端までの距離が変化するように非対称に形成され、
前記制御部は、前記第１センサが検知したとき前記レバーの上面から前記開口の端までの距離が小さくなるように前記規制部材を回転させ、前記第２センサが検知したとき前記レバーの下面から前記開口の端までの距離が小さくなるようにしてもよい。
【００２５】
前記規制機構は、前記レバーの上側に設けられて棒状の第１規制部材を進退させる第１駆動部と、前記レバーの下側に設けられて棒状の第２規制部材を進退させる第２駆動部とを含み、
前記制御部は、前記第１センサが検知したとき前記第１駆動部を制御して、遊技者が操作する側から見て前記支点よりも奥側の前記レバーの上面に接するように前記第１規制部材を進出させ、前記第２センサが検知したとき前記第２駆動部を制御して、遊技者が操作する側から見て前記支点よりも奥側の前記レバーの下面に接するように前記第２規制部材を進出させるようにしてもよい。
【００２６】
前記レバーの上面又は下面の少なくとも一方に、前記ワイヤ検知センサに向けられて傾斜した傾斜部を設けるようにしてもよい。
前記レバーの前記傾斜部の下端に連続して溝を設け、当該溝に前記ワイヤ検知センサを設けるようにしてもよい。
【発明の効果】
【００２７】
この発明は、いわゆる体感器ゴトを行う不正行為者に対して、スタートスイッチのレバーの動きを規制する規制機構を有効にしてスタートスイッチを操作できなくする。これにより、不正行為用装置を使用した不正行為に対して利益を与えることがなくなり、不正行為を抑止することができる。
【発明を実施するための最良の形態】
【００２８】
発明の実施の形態１．
この発明の実施の形態に係る遊技機について図面を参照して説明する。
図１は扉を閉めた状態を示す遊技機の正面図、図２は扉を１８０度開いた状態を示す遊技機の正面図を示す。
【００２９】
図１及び図２中、１００は遊技機を示すもので、この遊技機１００は、図１に示すように、遊技機本体１２０と、この遊技機本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに下側には、メダル投入口１３２から投入され、詰まってしまったメダルを遊技機１００外に強制的に排出するためのリジェクトボタン１３３が設けられている。
【００３０】
また、前記ゲーム表示部１３１の左下方には、ゲームを開始するためのスタートスイッチ１３４を設けてあり、３つのリール（回胴）のそれぞれに対応して３つのストップスイッチ１４０を設けてある。スタートスイッチ１３４とストップスイッチ１４０の上側のテーブル状の部分には、メダル投入に代えて操作することにより遊技可能な状態とするベットスイッチ１３７が設けてある。前扉の下端部中央には、メダルの払出し口１３５を設けてある。前記ゲーム表示部１３１の右側には、液晶表示装置が設けてある。
【００３１】
遊技機本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。遊技機本体１２０の内部には、前扉１３０を閉めたときにゲーム表示部１３１が来る位置に三個の回転リールからなるリールユニット２０３が設置されている。リールユニット２０３は、ストップスイッチ１４０によりその駆動が停止される。リールユニットの各回転リールは、合成樹脂からなる回転ドラムと、この回転ドラムの周囲に貼付されるテープ状のリールテープとを備えている。このリールテープの外周面には、複数個（例えば２１個）の図柄が表示されている。ゲーム表示部１３１には開口部が設けられていて、それを通して遊技者が前記リールユニット２０３の各回転リールの図柄を見ることができるようになっている。ホッパ装置１２１の上側のリールユニット２０３との間には電源部２０５が設けられている。
【００３２】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００３３】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００３４】
遊技機で遊技を楽しもうとする遊技者は、まずメダル貸機（図示しない）等から遊技媒体であるメダルを借り、メダル投入装置のメダル投入口１３２に直接メダルを入れることができる。
【００３５】
図３は発明の実施の形態１に係る遊技機の機能ブロック図を示す。
図３において、２００、２０１はそれぞれＣＰＵ、ＲＯＭ及びＲＡＭを内蔵するメイン基板、サブ基板である。メイン基板２００はメダルの投入、払い出し、リールの制御、当選処理などを行う。サブ基板２０１は演出表示などの処理を行う。２０２はスタートスイッチ１３４やストップスイッチ１４０、ベットスイッチ１３７などのスイッチからなる操作部である。２０３は三個の回転リールからなるリールユニットである。２０４はゲーム表示部１３１のリールの内部照明、電飾、液晶表示装置、スピーカなどを含む演出表示部である。演出表示部２０４により当選役や押し順の報知がなされる。１２１は、貯留したメダルを前扉１３０の前面に設けた払出し口１３５に１枚ずつ払い出すためのホッパ装置である。
【００３６】
メイン基板２００は、スタートスイッチ１３４に設けられたセンサ１３４ｃの出力信号に基づき内部抽選を行ったり、リールの回転・停止やメダルの払い出しなどの処理を行うためのものである。メイン基板２００は、予め設定されたプログラムに従って制御動作を行うＣＰＵと、前記プログラムを記憶する記憶手段であるＲＯＭおよび処理結果などを一時的に記憶するＲＡＭを含む。
【００３７】
また、メイン基板２００は、スタートスイッチ１３４に取り付けられたワイヤ検知センサ１３４ｅからの信号に基づき、不正行為と判断したときに規制機構３０を駆動してスタートスイッチ１３４がオンにならないように、そのレバー１３４ｂの動きを規制する制御部２００ａを含む（規制機構３０及びワイヤ検知センサ１３４ｅについては後に説明する）。
【００３８】
サブ基板２０１は、メイン基板２００からコマンド信号を受けて内部抽選の結果を報知したり各種演出を行うためのものである。サブ基板２０１は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。
【００３９】
操作部２０２は、上述のようにいくつかのスイッチ類を含むが、図３では発明の実施の形態１に直接関連するスタートスイッチ１３４のみを明示する。スタートスイッチ１３４は、遊技者が直接触れる例えば球状のノブ１３４ａと、ノブ１３４ａが操作されたときに可動するレバー（例えば棒状の部材からなる）１３４ｂとを備える。
【００４０】
レバーとは、槓桿（こうかん）のことであり、一定点を通る軸を中心に自由に回転し得る部材、典型的には棒である。ノブとは、把手（とって）のことであり、手で触るためにとりつけた、器物の突き出た部分である。
【００４１】
発明の実施の形態１に係るスタートスイッチ１３４のレバー１３４ｂには、レバー１３４ｂに掛けられたワイヤ（図９及び図１９の符号Ｗ）を検出するワイヤ検知センサ１３４ｅが設けられている。ワイヤ検知センサ１３４ｅは、例えば、スイッチや圧力センサ（公知の静電容量式圧力センサ、半導体圧力センサなど）である。
ワイヤ検知センサ１３４ｅ及びその動作については後に詳しく説明する。
【００４２】
図４〜図６は、発明の実施の形態１に係るスタートスイッチ１３４を示す。
図４（ａ）は発明の実施の形態１に係るスタートスイッチ１３４の平面図、同図（ｂ）は同正面図、同図（ｃ）は、同図（ａ）のＡ−Ａ矢視断面図である。同図（ｂ’）は板状部材３０ｂの正面図を示す。
図５は、レバー１３４ｂに直交する方向に配置された筒状の部材３０ｂを備えるスタートスイッチ１３４の平面図、同図（ｂ）は同正面図、同図（ｃ）は、同図（ａ）のＡ−Ａ矢視断面図である。同図（ｂ’）は部材３０ｂの正面図、同図（ｂ”）は同断面図（開口部と交差し、かつ、部材３０ｂの中心軸が直交する平面で切ったもの）を示す。
図６は、レバー１３４ｂに平行な方向に沿って、レバー１３４ｂを覆うように配置された断面楕円の筒状の部材３０ｂを備えるスタートスイッチ１３４の平面図、同図（ｂ）は同正面図、同図（ｃ）は、同図（ａ）のＡ−Ａ矢視断面図である。同図（ｂ’）は部材３０ｂの正面図、同図（ｂ”）は同平面図を示す。
なお、図４〜図６において、フォトインタラプタ（センサ）１３４ｃの表示は省略している。
【００４３】
発明の実施の形態１に係るスタートスイッチ１３４は、そのレバー１３４ｂが基準位置（図８のＬの状態）から揺動位置（図８のＭ−Ｕ又はＭ−Ｌの状態）へ移動することを規制する規制機構３０を備えるものである。
【００４４】
スタートスイッチ１３４は、支点１３４ｄを中心に上下に動くように支えられている。ここで、「上」とは遊技機の上端の方向を意味し、「下」とは遊技機の下端の方向を意味する。「上」「下」は、スタートスイッチ１３４から見て、それぞれ通常の意味の高い位置、低い位置のことである。支点１３４ｄを中心にレバー１３４ｂの両端はそれぞれ上下反対方向に動くが、特に断らない限り、ノブ１３４ａが「上」（あるいは「下」）に動いたとき、スタートスイッチ１３４又はレバー１３４ｂが「上」（あるいは「下」）に動いたものとする。
【００４５】
図４において、１３４ｅ−Ｕはレバー１３４ｂの上面に設けられて、レバー１３４ｂの上面に掛けられてレバー１３４ｂを下側へ引っ張るワイヤ（図９や図１９の状態）を検知する第１センサ、１３４ｅ−Ｄはレバー１３４ｂの下面に設けられて、レバー１３４ｂの下面に掛けられてレバー１３４ｂを上側へ引っ張るワイヤ（図示せず）を検知する第２センサである。第１センサ１３４ｅ−Ｕと第２センサ１３４ｅ−Ｄが、図３におけるワイヤ検知センサ１３４ｅに相当する。
【００４６】
３０ａ及び３０ｂは、レバー１３４ｂが基準位置から移動することを規制する規制機構３０を構成する。具体的には、３０ａはソレノイド（駆動部）であり、板状又は筒状の部材３０ｂを上下方向に移動させる駆動部である。規制機構３０は、ノブ１３４ａから見て支点１３４ｄよりも奥側にある。言い換えれば、規制機構３０は、遊技者から見て前扉１３０の内側にある。なお、図４では３０ｂは板状をしているが、図５や図６に示すような厚みをもつ筒状であってもよいので、板状又は筒状の部材３０ｂと記すことにする。
【００４７】
図４に示すように、板状又は筒状の部材３０ｂには長方形の開口が設けられており、前記開口の中にレバー１３４ｂの端（ノブ１３４ａと反対側の端）が位置するように配置されている。部材３０ｂが板状のものである場合、そこに設けられている開口の位置及び形状は図４などから容易に把握できる。図４などでは前記開口が部材３０ｂの中央に設けられているが、これは一例である。前記開口が偏って設けられていてもよい。前記開口はレバー１３４ｂの動きをガイドするものであり、開口の長方形の短辺はレバー１３４ｂの直径よりも少し大きく、その長辺はレバー１３４ｂの上下方向の通常の移動範囲よりも少し大きい（図５及び図６においても同じ）。したがって、図４（ｂ）（ｃ）の状態において、板状又は筒状の部材３０ｂは、レバー１３４ｂの上下方向の動きを妨げることがない（図８（ａ）参照）。
図５及び図６に示された筒状の部材３０ｂの作用は、図４が板状のものと同様である。
図５では、筒状（正確には円筒状）の部材３０ｂが、その軸がレバー１３４ｂと直交するように配置され、部材３０ｂの外周２箇所に開口が設けられている。これらの開口は、図４に示された開口と同様のものである。レバー１３４ｂは、前記２つの開口を通って筒状の部材３０ｂを貫通している。
図６では、筒状（正確には楕円筒状）の部材３０ｂがレバー１３４ｂを覆うように、言い換えれば、レバー１３４ｂの中心軸が部材３０ｂの中心軸に一致するように配置されている。図６では、開口は筒状の部材３０ｂの両端の開口そのものになっている。
なお、図４〜図６いずれの作用効果も同じであるので、以下では、もっぱら図４を例にとり説明を加えることにする。
【００４８】
１３４ｆ−Ｕと１３４ｆ−Ｄは、レバー１３４ｂの上面と下面に設けられ、それぞれ第１センサ１３４ｅ−Ｕ、第２センサ１３４ｅ−Ｄに向けられて傾斜した傾斜部である。これらは、不正行為に係るワイヤＷを滑らせて第１センサ１３４ｅ−Ｕ又は第２センサ１３４ｅ−Ｄへ導くためのものである。
【００４９】
１３４ｇ−Ｕと１３４ｇ−Ｄは、傾斜部１３４ｆ−Ｕと１３４ｆ−Ｄの端にそれぞれ設けられた溝である。別の言い方をすれば、傾斜部１３４ｆ−Ｕ、１３４ｆ−Ｄの下り方向側の終点端に連続してそれぞれ設けられた溝である。溝１３４ｇ−Ｕ、１３４ｇ−Ｄにそれぞれ第１センサ１３４ｅ−Ｕ又は第２センサ１３４ｅ−Ｄが設けられている。溝１３４ｇ−Ｕ、１３４ｇ−Ｄは、一度検知したワイヤＷが離れないようにするためのものである。
【００５０】
図７は、制御部２００ａの処理フローチャートを示す。
制御部２００ａは、第１センサ１３４ｅ−Ｕ又は第２センサ１３４ｅ−Ｄから検知信号を受けてソレノイド３０ａを駆動し、板状又は筒状の部材３０ａを上又は下のいずれかへ動かすことで、レバー１３４ｂの動きを規制する。すなわち、制御部２００ａは、第１センサ１３４ｅ−Ｕが検知したときソレノイド３０ａを駆動して板状又は筒状の部材３０ｂを下へ動かし、レバー１３４ｂの下への移動を規制し（図７のＳ３）、第２センサ１３４ｅ−Ｄが検知したときソレノイド３０ａを駆動して板状又は筒状の部材３０ｂを上へ動かし、レバー１３４ｂの上への移動を規制する（図７のＳ４）。
【００５１】
図８は、板状又は筒状の部材３０ｂの開口とレバー１３４ｂの端の位置関係と、揺動規制の関係の説明図である。
【００５２】
第１センサ１３４ｅ−Ｕと第２センサ１３４ｅ−Ｄのいずれもが検知していないとき、すなわち、レバー１３４ｂの上下いずれにも不正行為に係るワイヤＷが掛けられていないとき、基準位置Ｌにあるレバー１３４ｂの端は前記開口のほぼ中央に位置するので、レバー１３４ｂは上下いずれの方向にも移動可能であり、上側の揺動位置Ｍ−Ｕと下側の揺動位置Ｍ−Ｄの両方の状態を取り得る（図８（ａ））。
【００５３】
第１センサ１３４ｅ−Ｕが検知したとき、板状又は筒状の部材３０ｂが矢印に示すように下へ移動され、前記開口の端３０ｂ−１が基準位置Ｌにあるレバー１３４ｂの上面であって、遊技者が操作する側から見て前記支点よりも奥側の上面に接するようになるので、レバー１３４ｂは下へ動けなくなる。上側の揺動位置Ｍ−Ｕへの移動は可能である（図８（ｂ））。
【００５４】
第２センサ１３４ｅ−Ｄが検知したとき、板状又は筒状の部材３０ｂが矢印に示すように上へ移動され、前記開口の端３０ｂ−１が基準位置Ｌにあるレバー１３４ｂの下面であって、遊技者が操作する側から見て前記支点よりも奥側の下面に接するようになるので、レバー１３４ｂは上へ動けなくなる。下側の揺動位置Ｍ−Ｄへの移動は可能である（図８（ｃ）。
【００５５】
次に、スイッチを使用したワイヤ検知センサ１３４ｅについて図面を参照して説明を加える。なお、以下に説明するスイッチに代えて圧力センサを用いることができる。
【００５６】
図９は、スイッチを使用したワイヤ検知センサ１３４ｅの説明図である。なお、第２センサ１３４ｅ−Ｄは、その検出の方向が異なる点を除き、第１センサ１３４ｅ−Ｕと構成及び作用の点で同じであるので、図９では、下面の第２センサ１３４ｅ−Ｄなどの表示は省略している。図９においては第１センサ１３４ｅ−Ｕのみを示し、その符号を１３４ｅとする。図１０においても同様である。
【００５７】
図９（ａ）（ｃ）はスタートスイッチ１３４の断面図（切断位置は図１８のＡ−Ａ線）、図９（ｂ）（ｄ）はスタートスイッチ１３４のレバー１３４ｂに設けられたワイヤ検知センサ１３４ｅの拡大図である。図９（ａ）（ｂ）は正常な状態を示し、図９（ｃ）（ｄ）は不正行為に用いられるワイヤＷがレバー１３４ｂに掛けられた状態を示す。
【００５８】
図中、ＭＴはワイヤ検知センサ１３４ｅを構成する導体、Ｃ１とＣ２は導体ＭＴの両端に設けられた接点、Ｃ１’とＣ２’は溝１３４ｇに設けられた接点、Ｓは導体Ｍを支える弾性体（バネ）、ＥＷ１は接点Ｃ１’に接続された電線、ＥＷ２は接点Ｃ２’に接続された電線である。電線ＥＷ１、ＥＷ２の他方の端は制御部２００ａに接続されている。Ｃ１とＣ１’、Ｃ２とＣ２’は、図９（ｄ）に示すように、不正行為のワイヤＷが導体Ｍの位置にあるときに弾性体Ｓが撓むことで互いに接触し、電線ＥＷ１とＥＷ２が導通する。これを制御部２００ａが検知する。ＥＷ１及びＥＷ２で、ワイヤ検知センサ１３４ｅの出力を制御部２００ａに伝達する。レバー１３４ｂは、例えば絶縁体でできていて、その中を電線ＥＷ１とＥＷ２が通っている。また、ノブ１３４ａも絶縁体でできている。
【００５９】
図９（ａ）乃至（ｄ）からわかるように、導体ＭＴを使用したワイヤ検知センサ１３４ｅは、スタートスイッチ１３４のノブ１３４ａ寄りの位置に、レバー１３４ｂの上面に設けられて（第１センサ１３４ｅ−Ｕの場合）、レバー１３４ｂに掛けられたワイヤ（糸）Ｗを検知するものである。てこの原理から支点（図４及び図１８の支点１３４ｄ）から遠いほうが小さな力でレバー１３４ｂを引き下げることができる。したがって、不正行為に使用されるワイヤＷは、なるべく前記支点から遠い個所に引っ掛けられると考えられる。ノブ１３４ａの部分にワイヤＷを引っ掛けることはできないから、レバー１３４ｂの端（ノブ１３４ａと接する端）にワイヤＷを引っ掛けると考えられる。そこで、図９に示すように、ワイヤ検知センサ１３４ｅをレバー１３４ｂのノブ１３４ａと接する端に設けることが好ましい。
【００６０】
さらに、図９（ａ）（ｃ）に示すように、レバー１３４ｂの上面にワイヤ検知センサ１３４ｅに向けて下る傾斜面である下り傾斜部１３４ｆを設けるとよい。不正行為のワイヤＷがレバー１３４ｂの途中に引っ掛けられたとしても、図９（ｃ）の矢印に示すようにワイヤＷが下り傾斜部１３４ｆを滑っていき、その端に設けられたワイヤ検知センサ１３４ｅで検知できるようになる。
【００６１】
すなわち、下り傾斜部１３４ｆの終点端（図９ではレバー１３４ｂのノブ１３４ａと接する端）に溝１３４ｇを設け、ここにワイヤ検知センサ１３４ｅを設けるとよい。ワイヤＷが溝１３４ｇに嵌まり込むとワイヤ検知センサ１３４ｅから逃れることができなくなる。
【００６２】
不正行為に用いられるワイヤＷがレバー１３４ｂに引っ掛けられていない状態（正常な状態）では、弾性体Ｓの力により導体ＭＴが持ち上げられており、その結果、接点Ｃ１とＣ１’、Ｃ２とＣ２’は離れている（図９（ｂ））。したがって、電線ＥＷ１とＥＷ２は導通せず、制御部２００ａは非検知の状態である。
【００６３】
不正行為に用いられるワイヤＷがレバー１３４ｂに引っ掛けられると、ワイヤＷの最初の位置がどこであろうと下り傾斜部１３４ｆを滑って溝１３４ｇに到達し、そこに設けられたワイヤ検知センサ１３４ｅである導体ＭＴの上に位置する。不正行為用装置ＸはワイヤＷを引っ張ってレバー１３４ｂを引き下げようとするから、ワイヤＷの張力により弾性体Ｓは撓み、導体Ｍの位置が下がる、その結果、接点Ｃ１とＣ１’、Ｃ２とＣ２’が接触する（図９（ｄ））。したがって、電線ＥＷ１とＥＷ２が導通し、これを制御部２００ａが検知する。
【００６４】
なお、ワイヤ検知センサ１３４ｅのレバー１３４ｂへの取り付け形態は、図９に示されたものに限定されない。例えば、図１０（ａ）乃至（ｃ）のような取り付け方でもよい。
【００６５】
図１０（ａ）はレバー１３４ｂの上面全体にわたってワイヤ検知センサ１３４ｅを取り付けたものである。例えば、導体ＭＴとしてレバー１３４ｂの全長（少なくとも遊技機の前面から露出している部分）に匹敵する長さのものを用いる。図１０（ａ）の構造によれば、不正行為に使用されるワイヤＷがレバー１３４ｂのどの部分に引っ掛けられても、上述の効果を奏する。図１０（ａ）の構造には傾斜部を設ける必要はない。
【００６６】
図１０（ｂ）はレバー１３４ｂのノブ１３４ａ側の端にワイヤ検知センサ１３４ｅを取り付けたものである。ワイヤＷはレバー１３４ｂのノブ側１３４ａに引っ掛けられることが多いから、図１０（ｂ）の構造でも十分に効果を奏する。
【００６７】
図１０（ｃ）はレバー１３４ｂの中間に溝１３４ｇを設け、これに向けてレバー１３４ｂの上面に２つの下り傾斜部１３４ｆ−１と１３４ｆ−２を設けたものである。溝１３４ｇにワイヤ検知センサ１３４ｅを取り付ける。図１０（ｃ）の構造によれば、不正行為に使用されるワイヤＷがレバー１３４ｂのどの部分に引っ掛けられても、ワイヤＷが溝１３４ｇに向かって滑り落ちる。
【００６８】
発明の実施の形態１によれば、いわゆるソレノイドゴトのワイヤを検知し、それに応じてスタートスイッチのレバーの動きを規制することでスタートスイッチを操作できなくする。これにより、不正行為用装置を使用した不正行為に対して利益を与えることがなくなり、不正行為を抑止することができる。レバーの上下にそれぞれ前記ワイヤを検知するセンサを設け、検知状況に応じてレバーの上への移動又は下への移動の一方を規制するが、他方への移動を規制しないので、操作方向を変えれば遊技を継続することができる。万一、センサの誤動作で不正行為と判断したときに、遊技が全く不可能になることはなく、善良な遊技者に与える悪影響を少なくできる。
【００６９】
規制部材として、図４では平板状のもの示したが、他にも、例えば図１１に示すように、板状の部材をコの字型に折り曲げたものを使用することができる。図１１（ａ）は規制部材（板状又は筒状の部材）３０ｃの三面図、同図（ｂ）はＡ−Ａ矢視断面図を示す。図１１に示す規制部材（板状又は筒状の部材）３０ｃの開放側が開口に相当し、その端３０ｃ−１にレバー１３４ｂの上面又は下面を当てることでその移動を規制することができる。図１１では、駆動部の表示を省略している。図１１の開口部も同様の作用効果を奏する。
【００７０】
なお、図４の開口部の形状は、縦長の長方形（レバー１３４ｂの移動方向に長辺がくる）であったが、他の形状でも構わない。図１２は円形の開口部、図１３（ａ）は正方形の開口部、同図（ｂ）は楕円形の開口部、同図（ｃ）はひし形の開口部を示す。図１３（ａ）乃至（ｃ）は規制部材の正面図である。
【００７１】
図１２（ａ）は規制部材（板状又は筒状の部材）３０ｄの三面図、同図（ｂ）はＡ−Ａ矢視断面図（非規制時）、同図（ｃ）はＡ−Ａ矢視断面図（下方への移動の規制時）を示す。図１２の円形の開口部の場合も同様に、制御部２００ａは、第１センサ１３４ｅ−Ｕが検知したとき板状又は筒状の部材３０ｄを下へ動かし、開口部の端３０ｄ−１をレバー１３４ｂの上面であって、遊技者が操作する側から見て前記支点よりも奥側の上面に当て、レバー１３４ｂの下への移動を規制する。第２センサ１３４ｅ−Ｄが検知したとき板状又は筒状の部材３０ｄを上へ動かし、開口部の端３０ｄ−１をレバー１３４ｂの下面であって、遊技者が操作する側から見て前記支点よりも奥側の下面に当て、レバー１３４ｂの上への移動を規制する。図１２の円形の開口部も同様の作用効果を奏する。
【００７２】
図１３（ａ）の正方形の開口部も同じである。
同図（ｂ）の楕円形と（ｃ）のひし形も同じであるが、開口の端が狭まっているので、規制時はレバー１３４ｂを両側から挟み込むようになり、レバー１３４ｂの左右の動きも規制することができる。
【００７３】
また、開口部を図１４に示すように十字型にしてもよい。図１４（ａ）は規制部材（板状又は筒状の部材）３０ｈの三面図である。図１４の構成は、レバー１３４ｂが上下左右の４方向に動くようになっているとき、そのうちの１方向にのみ移動できるように規制することができる。図１４（ｂ）はレバー１３４ｂの端が十字型の開口の中心に位置し、移動が規制されていない状態を示す。同図（ｃ）に示すように、板状又は筒状の部材３０ｈを下へ動かして開口部の端３０ｈ−１がレバー１３４ｂの上面であって、遊技者が操作する側から見て前記支点よりも奥側の上面に当たるようにすると、レバー１３４ｂは上にのみ動き下及び左右には移動できなくなる。同図（ｄ）に示すように、板状又は筒状の部材３０ｈを左へ動かして開口部の端３０ｈ−１がレバー１３４ｂの右側に当たるようにすると、レバー１３４ｂは右にのみ動き上下及び右には移動できなくなる。図１４の開口部も同様の作用効果を奏する。
図１４の開口部をもつ規制部材３０ｈを用いる場合は、レバー１３４ｂの左面及び右面にもセンサを設け、これらのセンサの出力に応じて規制部材３０ｈを動かすようにしてもよい。このように構成すれば、左右の動きについてもその一方を規制することができる。その制御フローチャートは、「上」「下」が「左」「右」になる点を除き、図７と同様である。
【００７４】
発明の実施の形態２．
図１５及び図１６は、発明の実施の形態２に係るスタートスイッチ１３４を示す。図１５（ａ）は規制機構（板状又は筒状の回転部材３０ｉ）の三面図を示し、同図（ｂ）及び（ｃ）はスタートスイッチ１３４のＡ−Ａ線矢視断面図で、いずれも非操作時（ノブ１３４ａが水平状態）を示す。図１６（ａ）乃至（ｃ）は板状又は筒状の回転部材３０ｊの正面図、同図（ｄ）は板状又は筒状の回転部材３０ｋの正面図を示す。なお、図１５及び図１６において、センサの表示は省略している。
【００７５】
発明の実施の形態２に係る規制機構は、開口が設けられた板状又は筒状の部材で、開口を通る回転軸を中心に回転するように支持されている。図１５（ａ）の正面図において符号ＣＥが回転軸を示す。前記開口の中にレバー１３４ｂの端が位置するように配置されている。好適には、基準位置Ｌのレバー１３４ｂの中心軸と回転軸ＣＥが一致する。前記開口は、同一方向を基準としたとき、回転につれてレバー１３４ｂの端から前記開口の端（内面）までの距離が変化するように形成されている。図１５（ａ）の開口は、その正面図に示すように、回転軸ＣＥからの距離が、回転位置（角度）に応じて異なる。図１５の板状又は筒状の回転部材３０ｉの開口は、回転軸ＣＥを中心とする半径ｒ１の約２７０°の扇形と、同じく半径ｒ２の約９０°の扇形からなる。ｒ１＞ｒ２である。符号３０ｉ−１は、約２７０°の扇形の部分の開口の端を示し、符号３０ｉ−２は、約９０°の扇形の部分の開口の端を示す。
【００７６】
規制のない通常の状態では、図１５（ｂ）に示すように、レバー１３４ｂの上下方向には開口の端３０ｉ−１が位置するので、レバー１３４ｂは上下に移動可能である。言い換えれば、開口の端３０ｉ−１の半径ｒ１は、レバー１３４ｂが上下して揺動位置に到達可能な程度に大きい。なお、同図の左はスタートスイッチ１３４を正面から見たときの規制部材３０ｉとレバー１３４ｂを示す（前扉１３０やノブ１３４ａなどの表示は省略している）。図１５（ｃ）も同様である。
【００７７】
制御部２００ａは、第１センサ１３４ｅ−Ｕが検知したとき、レバー１３４ｂの上面から開口の端までの距離が小さくなるように板状又は筒状の回転部材３０ｉを回転させ、図１５（ｃ）のようにすることでレバー１３４ｂが上に動かないようにする。同図では、レバー１３４ｂの上側に開口の端３０ｉ−２が来ているので、その動きが制限される。図１５（ｂ）ではｒ１の距離を移動できるが、同図（ｃ）ではｒ２（＜ｒ１）の距離しか移動できなくなる。言い換えれば、開口の端３０ｉ−２の半径ｒ２は、レバー１３４ｂが揺動位置に到達できない程度に小さい。ｒ２の最小値はレバー１３４ｂの半径であり、これとほぼ同じ（好ましくは若干大きくする）ことで、レバー１３４ｂの上への動きをほぼ完全に規制することができる。
【００７８】
同様に、制御部２００ａは、第２センサ１３４ｅ−Ｄが検知したときレバー１３４ｂの下面から開口の端までの距離が小さくなるように、すなわち、下側に開口の端３０ｉ−２が位置するように板状又は筒状の回転部材３０ｉを回転させることで、レバー１３４ｂが下に動かないように規制することができる。
【００７９】
開口のほかの形状を図１６に示す。
図１６（ａ）乃至（ｃ）は円の半分と楕円の半分とからなる開口を示す。円をなす開口の端３０ｊ−１はレバー１３４ｂに規制を加えないが、楕円をなす開口の端３０ｊ−２はレバー１３４ｂの動きを規制する。しかも、回転角度によって規制の程度を変化させることができる。図１６（ａ）はレバー１３４ｂに規制を加えていない状態を示す。レバー１３４ｂの上面から開口の端までの距離はａである。ａは上述のｒ１に相当する。図１６（ｂ）は板状又は筒状の回転部材３０ｊを約４５°回転させた状態を示す。この状態のレバー１３４ｂの上面から開口の端３０ｊ−２までの距離ｂはａよりも小さく、いくらかの規制を受ける。図１６（ｃ）は板状又は筒状の回転部材３０ｉを約９０°回転させた状態を示す。この状態で規制の量は最大となり、レバー１３４ｂの上面から開口の端３０ｊ−２までの距離ｃは、ｂよりもさらに小さくなる。ｃは上述のｒ２に相当する。
【００８０】
図１６（ｄ）は円の一部を直線で切り取った開口の形状を示す。この開口も、図１６（ａ）乃至（ｃ）の開口と同様の作用効果を奏する。
【００８１】
発明の実施の形態３．
図１７は、発明の実施の形態３に係るスタートスイッチ１３４を示す。図１７（ａ）はスタートスイッチ１３４の平面図、同図（ｂ）は同正面図、同図（ｃ）はＡ−Ａ線矢視断面図である。いずれも非操作時（レバー１３４ｂが基準位置Ｌの状態）を示す。なお、図１７において、センサの表示は省略している。
【００８２】
発明の実施の形態３に係る規制機構３０は、レバー１３４ｂの端（ノブ１３４ａとは反対側の端であって、遊技者から見て支点１３４ｄよりも奥側）を上下（揺動方向）に挟むように設けられた一対のソレノイド３０ａ−１−Ｕ、３０ａ−１−Ｄと、この一対のソレノイド３０ａ−１−Ｕ、３０ａ−１−Ｄから、これが駆動されたときに水平に突出する上下一対の規制バー３０ａ−２−Ｕ、３０ａ−２−Ｄとを備えるものである。ソレノイド３０ａ−１−Ｕ又は３０ａ−１−Ｄの一方が駆動され、規制バー３０ａ−２−Ｕ又は３０ａ−２−Ｄの一方が突出し、レバー１３４ｂの端に当たることで、レバー１３４ｂに対して揺動規制を行う。図１７（ａ）は規制バー３０ａ−２−Ｕ又は３０ａ−２−Ｄが突出した状態を示し、同図（ａ’）は規制バー３０ａ−２−Ｕ又は３０ａ−２−Ｄがソレノイド３０ａ−１−Ｕ又は３０ａ−１−Ｄ内に引き込まれた状態を示す。同図（ａ’）は通常の遊技可能な状態を示す。
【００８３】
一対のソレノイド３０ａ−１−Ｕ、３０ａ−１−Ｄの規制バー３０ａ−２−Ｕ，３０ａ−２−Ｄは、ピン形に形成され、復帰用の図示しないコイルスプリングが嵌合されている。ソレノイド３０ａ−１−Ｕ、３０ａ−１−Ｄの駆動が停止すると、その復帰力により、各規制バー３０ａ−２−Ｕ，３０ａ−２−Ｄは速やかにソレノイド３０ａ−１−Ｕ，３０ａ−１−Ｄ内に戻り、レバー１３４ｂに対する揺動規制を解除する。
【００８４】
制御部２００ａは、第１センサ１３４ｅ−Ｕが検知したとき、ソレノイド３０−１−Ｕを駆動し、規制バー３０−２−Ｕを突出させることでレバー１３４ｂが下に動かないようにする。制御部２００ａは、第２センサ１３４ｅ−Ｄが検知したときソレノイド３０−１−Ｄを駆動し、規制バー３０−２−Ｄを突出させることでレバー１３４ｂが上に動かないようにする。
制御部２００ａは、第１センサ１３４ｅ−Ｕと第２センサ１３４ｅ−Ｄの両方が検知したとき、ソレノイド３０−１−Ｕと３０−１−Ｄの両方を駆動して、レバー１３４ｂが上下いずれにも動かないように制御してもよい。例えば、最初に第１センサ１３４ｅ−Ｕで検知したとき下への移動規制をかけるとともに、タイマーを起動する。その状態においてさらに第２センサ１３４ｅ−Ｄで検知したとき、タイマーによる計時が所定時間（予め定められた閾値）以内であれば上への移動規制を加える。これにより、レバー１３４ｂは上下いずれにも動かなくなる。タイマーによる計時が所定時間を越えていれば、それぞれの検知は異なる遊技者によるものとして上下両方の規制は行わない。例えば、先に行った下への移動規制を解除し、上への移動規制のみを加えるようにしてもよい。
なお、レバー１３４ｂの上面と下面だけでなく、右面や左面にセンサを設けるようにしてもよい。要するに、ワイヤを検知するセンサをレバー１３４ｂの周面にひとつ又は複数設け、前記センサの検知に基づいてレバー１３４ｂの移動方向を規制する機構を駆動することで、ワイヤにより移動される方向へレバー１３４ｂが移動しないように、規制を加えるようにすればよい。
【００８５】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００８６】
【図１】発明の実施の形態１に係る扉を閉めた状態を示す遊技機（スロットマシン）の正面図である。
【図２】発明の実施の形態１に係る扉を１８０度開いた状態を示す遊技機の正面図である。
【図３】発明の実施の形態１に係る遊技機の機能ブロック図である。
【図４】発明の実施の形態１に係るスタートスイッチの説明図である。
【図５】発明の実施の形態１に係る他のスタートスイッチの説明図である。
【図６】発明の実施の形態１に係る他のスタートスイッチの説明図である。
【図７】発明の実施の形態１に係る制御部の動作フローチャートである。
【図８】発明の実施の形態１に係る規制機構とスタートスイッチのレバーの動きの関係の説明図である。
【図９】発明の実施の形態１に係るセンサの構成及び作用効果の説明図である。
【図１０】発明の実施の形態１に係るセンサの他の取り付け形態の説明図である。
【図１１】発明の実施の形態１に係る他のスタートスイッチの説明図である。
【図１２】発明の実施の形態１に係る他のスタートスイッチの説明図である。
【図１３】発明の実施の形態１に係る規制機構（板状又は筒状の部材）の他の形態を示す図である。
【図１４】発明の実施の形態１に係る規制機構（板状又は筒状の部材）の他の形態を示す図である。
【図１５】発明の実施の形態２に係るスタートスイッチの説明図である。
【図１６】発明の実施の形態２に係る規制機構（板状又は筒状の部材）の他の形態を示す図である。
【図１７】発明の実施の形態３に係るスタートスイッチの説明図である。
【図１８】従来のスタートスイッチの説明図である。
【図１９】不正行為の様子を示す図である。
【符号の説明】
【００８７】
３０    規制機構
３０ａ  ソレノイド（駆動部）
３０ａ−１  ソレノイド本体（駆動部）
３０ａ−２  規制バー（規制部材）
３０ｂ、３０ｃ、３０ｄ、３０ｅ、３０ｆ、３０ｇ、３０ｈ  板状又は筒状の部材
３０ｂ−１、３０ｃ−１，３０ｄ−１、３０ｅ−１、３０ｆ−１、３０ｇ−１、３０ｈ−１  開口の端
３０ｉ、３０ｊ、３０ｋ  板状又は筒状の回転部材
３０ｉ−１、３０ｊ−１、３０ｋ−１  開口の端（距離大、非規制側）
３０ｉ−２、３０ｊ−２、３０ｋ−２  開口の端（距離小、規制側）
１３４    スタートスイッチ
１３４ａ  ノブ
１３４ｂ  レバー
１３４ｃ  センサ
１３４ｄ  支点
１３４ｅ  ワイヤ検知センサ
１３４ｅ−Ｕ  第１センサ
１３４ｅ−Ｄ  第２センサ
１３４ｆ−Ｕ、１３４ｆ−Ｄ  傾斜部
１３４ｇ−Ｕ、１３４ｇ−Ｄ  溝
２００ａ  制御部
２０３    リールユニット
Ｃ１、Ｃ１’，Ｃ２，Ｃ２’  接点
ＣＥ    回転軸（回転中心）
Ｌ    基準位置
Ｍ−Ｕ  上側の揺動位置
Ｍ−Ｄ  下側の揺動位置
ＭＴ  導体
Ｓ    弾性体（バネ）
ＥＷ１，ＥＷ２、  電線
Ｗ    ワイヤ（糸）
Ｘ    不正行為用装置
【図１】
2009100853.tif 000003
【図２】
2009100853.tif 000004
【図３】
2009100853.tif 000005
【図４】
2009100853.tif 000006
【図５】
2009100853.tif 000007
【図６】
2009100853.tif 000008
【図７】
2009100853.tif 000009
【図８】
2009100853.tif 000010
【図９】
2009100853.tif 000011
【図１０】
2009100853.tif 000012
【図１１】
2009100853.tif 000013
【図１２】
2009100853.tif 000014
【図１３】
2009100853.tif 000015
【図１４】
2009100853.tif 000016
【図１５】
2009100853.tif 000017
【図１６】
2009100853.tif 000018
【図１７】
2009100853.tif 000019
【図１８】
2009100853.tif 000020
【図１９】
2009100853.tif 000021